(57)【特許請求の範囲】
【請求項１】
熱交換により温水を生成する水熱交換器（３）と、
上記温水を貯留する缶体（４）と、
上記缶体（４）の下側に位置すると共に、水貯め可能な立ち上がり部（２３ａ）を有する底フレーム（２３，２３Ａ）と、
上記水熱交換器（３）が上記立ち上がり部（２３ａ）よりも上側に位置するように、上記水熱交換器（３）を支持する支持部（３１）と
を備えることを特徴とする貯湯ユニット。
【請求項２】
請求項１に記載の貯湯ユニットにおいて、
上記支持部（３１）は、上記水熱交換器（３）を上記底フレーム（２３，２３Ａ）から離隔した位置に保持することを特徴とする貯湯ユニット。
【請求項３】
請求項１または２に記載の貯湯ユニットにおいて、
上記水熱交換器（３）を覆う断熱材（３２）を備え、
上記断熱材（３２）は、上記水熱交換器（３）と共に上記支持部（３１）に支持されて、
上記断熱材（３２）は、上記底フレーム（２３，２３Ａ）から離隔していることを特徴とする貯湯ユニット。
【請求項４】
請求項１から３までのいずれか１つに記載の貯湯ユニットにおいて、
上記缶体（４）を支持する缶体支持脚（４１）を備え、
上記支持部（３１）は、上記缶体支持脚（４１）に取り付けられていることを特徴とする貯湯ユニット。
【請求項５】
請求項１に記載の貯湯ユニットにおいて、
上記水熱交換器（３）を覆う断熱材（３３，３４）を備え、
上記断熱材（３３，３４）の一部は、上記支持部（３１）を構成し、
上記断熱材（３３，３４）は、上記底フレーム（２３，２３Ａ）に載置され、
上記断熱材（３３，３４）は、上記水熱交換器（３）を上記底フレーム（２３，２３Ａ）から離隔した位置に保持していることを特徴とする貯湯ユニット。
【請求項６】
請求項５に記載の貯湯ユニットにおいて、
上記断熱材（３３，３４）は、
本体部（３４ａ）と、
この本体部（３４ａ）から下方に突出すると共に、上記底フレーム（２３，２３Ａ）に接触している脚部（３４ｂ）と
を有していることを特徴とする貯湯ユニット。
【請求項７】
請求項６に記載の貯湯ユニットにおいて、
上記底フレーム（２３，２３Ａ）は、
平坦部（２３ｂ）と、
この平坦部（２３ｂ）より下方に位置すると共に、水を導くための導水溝部（２３ｄ）とを有し、
上記断熱材（３３，３４）の上記脚部（３４ｂ）は、上記平坦部（２３ｂ）に接触していることを特徴とする貯湯ユニット。
【請求項８】
請求項１から７までの何れか１つに記載の貯湯ユニット（２）と、
上記貯湯ユニット（２）の上記水熱交換器（３）に接続される圧縮機（１１）、膨張手段（１４）および空気熱交換器（１５）を含むヒートポンプユニット（１）と
を備えることを特徴とする給湯装置。
【発明の詳細な説明】
【技術分野】
【０００１】
本発明は、貯湯ユニットおよび給湯装置に関する。
【背景技術】
【０００２】
従来、給湯装置としては、水熱交換器を有する熱源ユニットを備えたものがある（特開２０１１−２１７２号公報（特許文献１））。この給湯装置では、水熱交換器は熱源ユニットの底フレーム上に配設されている。この底フレームは、底フレームの周縁に立ち上がり部を有し、この立ち上がり部によって底フレームに流れ込んだ水が底フレームに貯まるようになっている。
【先行技術文献】
【特許文献】
【０００３】
【特許文献１】特開２０１１−２１７２号公報
【発明の概要】
【発明が解決しようとする課題】
【０００４】
ところで、水熱交換器は、断熱材に覆われているが、その断熱材は水漏れや結露水を排出するための穴を有しており、底フレームに水が貯まると、その穴から水が侵入してくる。そして、水熱交換器の下部は、立ち上がり部の上端よりも低い位置にあるので、底フレームに水が貯まると水熱交換器の下部が水に浸かり、水熱交換器が腐食するという問題があった。
【０００５】
そこで、本発明の課題は、底フレームに水が貯まっても、水熱交換器が腐食するのを防止できる貯湯ユニットおよび給湯装置を提供することにある。
【課題を解決するための手段】
【０００６】
上記課題を解決するため、本発明の貯湯ユニットは、
熱交換により温水を生成する水熱交換器と、
上記温水を貯留する缶体と、
上記缶体の下側に位置すると共に、水貯め可能な立ち上がり部を有する底フレームと、
上記水熱交換器が上記立ち上がり部よりも上側に位置するように、上記水熱交換器を支持する支持部と
を備えることを特徴としている。
【０００７】
上記構成の貯湯ユニットによれば、上記底フレームは、缶体の下側に位置し、水熱交換器は、底フレームの立ち上がり部よりも上側に位置している。したがって、貯湯ユニットの外側から侵入する雨水や缶体の水漏れにより滴下する温水などによって底フレームに水が貯まっても、水熱交換器が水に浸かるのを防止できるから、水熱交換器が腐食するのを防止できる。
【０００８】
一実施形態の貯湯ユニットでは、
上記支持部は、上記水熱交換器を上記底フレームから離隔した位置に保持する。
【０００９】
上記実施形態によれば、上記水熱交換器は、上記底フレームから離隔しているから、水熱交換器が底フレーム上の水と接触するのをより確実に防止できる。また、底フレーム上の水が、例えば底フレームに設けられたドレン孔に向かって、水熱交換器に邪魔されることなくスムーズに流れることができる。
【００１０】
一実施形態の貯湯ユニットでは、
上記水熱交換器を覆う断熱材を備え、
上記断熱材は、上記水熱交換器と共に上記支持部に支持されて、
上記断熱材は、上記底フレームから離隔している。
【００１１】
上記実施形態によれば、上記断熱材は、底フレームから離隔しているから、底フレーム上の水が、例えば底フレームに設けられたドレン孔に向かって、断熱材に邪魔されることなくスムーズに流れることができる。
【００１２】
一実施形態の貯湯ユニットでは、
上記缶体を支持する缶体支持脚を備え、
上記支持部は、上記缶体支持脚に取り付けられている。
【００１３】
上記実施形態によれば、上記支持部は、缶体支持脚に取り付けられている。この缶体支持脚は、重量物である缶体を支持するので極めて剛性が高く、支持部は、この剛性の高い缶体支持脚に取り付けられて、支持部も剛性が高くなっているから、水熱交換器を強固に支持できる。
【００１４】
一実施形態の貯湯ユニットでは、
上記水熱交換器を覆う断熱材を備え、
上記断熱材の一部は、上記支持部を構成し、
上記断熱材は、上記底フレームに載置され、
上記断熱材は、上記水熱交換器を上記底フレームから離隔した位置に保持している。
【００１５】
上記実施形態によれば、上記水熱交換器は、底フレームに載置された断熱材によって覆われている。この断熱材の一部は、上記支持部を構成し、断熱材によって、水熱交換器は、底フレームから離隔して保持されて、底フレームの立ち上がり部よりも上側に位置している。このため、貯湯ユニットの外側から侵入する雨水や缶体の水漏れにより滴下する温水などによって底フレームに水が貯まり、この貯まった水が、断熱材の穴を介して、断熱材の内側に侵入してきたとしても、水熱交換器は、水面よりも上に位置するので水に浸からない。また、断熱材によって、水熱交換器は、底フレームから離隔して保持されているから、水熱交換器が底フレーム上の水と接触するのをより確実に防止できる。
【００１６】
一実施形態の貯湯ユニットでは、
上記断熱材は、本体部と、この本体部から下方に突出すると共に、上記底フレームに接触している脚部とを有している。
【００１７】
上記実施形態によれば、上記断熱材は脚部を有し、この脚部が底フレームに接触している。このため、脚部は、本体部を底フレームから離隔して、本体部と底フレームとの間に空間を設けている。したがって、底フレームに貯まった水が、例えば底フレームに設けられたドレン孔に向かって流れるとき、水が上記空間を通ることができるから、水の流れが断熱材によって阻害されにくくすることができる。
【００１８】
また、本体部と底フレームとの間に設けられた空間によって、水熱交換器から底フレームへの放熱をより抑制できるので、断熱材による水熱交換器の保温効果をより大きくできる。
【００１９】
一実施形態の貯湯ユニットでは、
上記底フレームは、平坦部と、この平坦部より下方に位置すると共に、水を導くための導水溝部とを有し、
上記断熱材の上記脚部は、上記平坦部に接触している。
【００２０】
上記実施形態によれば、底フレームに導水溝部が設けられ、脚部が平坦部に接触している。したがって、底フレーム上の水が導水溝部に導かれ、例えば底フレームに設けられたドレン孔に向かって断熱材に邪魔されることなくスムーズに流れることができる。
【００２１】
本発明の給湯装置は、
上記貯湯ユニットと、
上記貯湯ユニットの上記水熱交換器に接続される圧縮機、膨張手段および空気熱交換器を含むヒートポンプユニットと
を備えることを特徴としている。
【００２２】
上記構成の給湯装置によれば、上記貯湯ユニットを備えるので、水熱交換器が腐食するのを防止できる。
【発明の効果】
【００２３】
本発明によれば、水熱交換器が水に浸かるのを防止できるので、水熱交換器が腐食するのを防止できる。
【図面の簡単な説明】
【００２４】
【図１】本発明の給湯装置の第１実施形態を示す簡略構成図である。
【図２】上記給湯装置の貯湯ユニットの外観斜視図である。
【図３】上記貯湯ユニットの下部に関する要部断面図である。
【図４】本発明の貯湯ユニットの第２実施形態の下部に関する要部断面図である。
【図５】本発明の貯湯ユニットの第３実施形態の下部に関する要部断面図である。
【図６】上記第３実施形態の貯湯ユニットの底フレームの概略平面図である。
【図７】図６のＡ−Ａ線から見た上記底フレームの部分断面図である。
【発明を実施するための形態】
【００２５】
以下、本発明を図示の実施形態により詳細に説明する。
【００２６】
（第１の実施形態）
図１は、本発明の給湯装置の第１の実施形態についての簡略構成図を示している。図１に示すように、この給湯装置は、ヒートポンプユニット１と、このヒートポンプユニット１に接続される貯湯ユニット２とを備えている。
【００２７】
上記ヒートポンプユニット１は、圧縮機１１と、膨張手段としての膨張弁（減圧機構）１４と、空気熱交換器（蒸発器）１５とを有する。膨張弁１４、空気熱交換器１５および圧縮機１１は、冷媒通路１６を介して、順に接続される。冷媒として、例えば、ＣＯ２冷媒を用いる。空気熱交換器１５に対向して、ファン１７と、このファン１７を駆動するモータ１８が配置されている。
【００２８】
上記貯湯ユニット２は、ヒートポンプユニット１の圧縮機１１に接続されて熱交換により温水を生成する水熱交換器３と、温水を貯留する缶体４とを有する。缶体４の底部には、給水源Ｅに接続される給水流路５から分岐した一方の入水流路５ａが接続されている。これにより、給水源Ｅから供給される市水が、入水流路５ａを介して、缶体４の底部に導入される。また、缶体４の底部には、循環路８の一端が接続されている。この循環路８には、循環ポンプ７および水熱交換器３が接続されている。
【００２９】
上記缶体４の頂部には、上記循環路８の他端が接続されている。また、缶体４の頂部には、出湯経路５２を介して、混合弁５１が接続されている。この混合弁５１には、給水流路５から分岐した他方の入水流路５ｂと、給湯端末Ｔとが接続されている。これにより、缶体４の頂部から出湯された温湯を、給水源Ｅから供給される水と混合することが可能となり、給湯端末Ｔにおいて、所望の温度の温湯を供給できる。
【００３０】
上記構成の給湯装置では、上記圧縮機１１および循環ポンプ７を駆動させると、缶体４内の水が、缶体４の底部から循環路８を流れる。このとき、循環路８を流れる水は、水熱交換器３によって加熱され（沸き上げられ）、缶体４の頂部に返流される。このような動作を継続して行うことによって、缶体４に高温の温湯を貯留することができる。缶体４内の温湯は、給湯端末Ｔに供給される。
【００３１】
図２は、貯湯ユニット２の外観斜視図を示す。なお、図２では、冷媒配管、水配管および断熱材を省略して描いている。
【００３２】
図２に示すように、水熱交換器３および缶体４は、ケーシング２０内に設けられている。このケーシング２０は、天井パネル２１、図示しない前面パネル、側面パネル２２および底フレーム２３から構成される。なお、図２では、ケーシング２０から前面パネルを取り外した状態を示す。
【００３３】
上記缶体４は、略円筒形状に形成され、３本の缶体支持脚４１，４１，４１によって支持されている。これらの缶体支持脚４１，４１，４１の上部は、それぞれ缶体４の側面下部に固定されている。一方、缶体支持脚４１，４１，４１の下端は、それぞれ底フレーム２３の上面に固定されている。缶体４は、湯が満たされて極めて重量が大きくなるものであり、この重量が大きい缶体４を支持する缶体支持脚４１は、剛性が高いものである。
【００３４】
上記水熱交換器３は、缶体４の軸方向からみた平面視、缶体４と重なって位置している。また、水熱交換器３は、缶体４と底フレーム２３との間に位置している。
【００３５】
上記底フレーム２３は、缶体４の下側に位置している。底フレーム２３は、周縁に設けられると共に水貯め可能な立ち上がり部２３ａと、この立ち上がり部２３ａに囲まれた平坦部２３ｂと、この平坦部２３ｂに設けられ、平坦部２３ｂに貯まった水を排出するためのドレン孔２３ｃとを有している。平坦部２３ｂの下面には、３本の底フレーム支持脚２４，２４，２４が取り付けられている。これらの底フレーム支持脚２４，２４，２４によって、底フレーム２３は、支持されている。缶体支持脚４１，４１，４１は、それぞれ、底フレーム支持脚２４，２４，２４の真上に位置している。
【００３６】
図３は、上記貯湯ユニットの下部の要部断面図を示す。図３に示すように、水熱交換器３は、その外面の略全体を断熱材３２によって覆われている。この断熱材３２は、例えば発泡スチロールによって形成され、支持部３１の上側に取り付けられている。
【００３７】
上記支持部３１は、底フレーム２３の平坦部２３ｂから離隔して、底フレーム２３の立ち上がり部２３ａよりも上側に水平方向に延在している。支持部３１の両端部は、それぞれ缶体支持脚４１，４１に取り付けられている。支持部３１は、水熱交換器３および断熱材３２を支持すると共に底フレーム２３から離隔した位置に保持している。このため、水熱交換器３および断熱材３２は、立ち上がり部２３ａよりも上側に位置している。
【００３８】
上記底フレーム２３の平坦部２３ｂは、貯湯ユニットの外側から侵入する雨水や缶体４の水漏れにより滴下する温水などを受けるようになっている。平坦部２３ｂで受けられた水は、平坦部２３ｂおよび立ち上がり部２３ａによって、底フレーム２３に貯まるようになっている。平坦部２３ｂは、ドレン孔２３ｃに向かって僅かに下降して傾斜するように設けられている。このため、平坦部２３ｂに貯まった水は、ドレン孔２３ｃに向かって流れ落ちて、ドレン孔２３ｃを通じて排出される。また、ドレン孔２３ｃの近傍には、漏水センサ（図示せず）が設けられている場合もあり、平坦部２３ｂに水が貯まっているか否かを検出できるようになっている。
【００３９】
上記構成の貯湯ユニットによれば、底フレーム２３は、缶体４の下側に位置し、水熱交換器３は、底フレーム２３から離隔して保持され、底フレーム２３の立ち上がり部２３ａよりも上側に位置している。したがって、貯湯ユニットの外側から侵入する雨水や缶体４の水漏れにより滴下する温水などによって底フレーム２３に水が貯まっても、水熱交換器３が水に浸かるのを防止できるから、水熱交換器３が腐食するのを防止できる。
【００４０】
また、水熱交換器３は、底フレーム２３から離隔しているから、水熱交換器３が底フレーム２３上の水と接触するのをより確実に防止できる。また、底フレーム２３上の水が、ドレン孔２３ｃに向かって、水熱交換器３に邪魔されることなくスムーズに流れることができる。
【００４１】
また、断熱材３２は、底フレーム２３から離隔しているから、底フレーム２３上の水が、ドレン孔２３ｃに向かって断熱材３２に邪魔されることなくスムーズに流れることができる。
【００４２】
また、支持部３１は、缶体支持脚４１，４１に取り付けられている。缶体支持脚４１，４１は、重量物である缶体４を支持するので極めて剛性が高く、支持部３１は、この剛性の高い缶体支持脚４１に取り付けられて、支持部３１も剛性が高くなっているから、水熱交換器３を強固に支持できる。
【００４３】
また、上記給湯装置は、貯湯ユニット２を備えるから、水熱交換器３が水に浸かるのを防止できて、水熱交換器３が腐食するのを防止できる。
【００４４】
（第２の実施形態）
図４は、本発明の貯湯ユニットの第２の実施形態を示している。具体的には、図４は、この貯湯ユニットの下部の要部断面図を示している。上記第１の実施形態と相違する点を説明すると、この第２の実施形態では、断熱材の形状が相違すると共に、断熱材の一部が水熱交換器を支持する支持部を構成している。なお、この第２の実施形態において、上記第１の実施形態と同一の符号は、上記第１の実施形態と同じ構成であるため、その説明を省略する。
【００４５】
図４に示すように、水熱交換器３は、その外面の全体が断熱材３３によって覆われている。断熱材３３は、略直方体形状の発泡スチロールによって形成され、底フレーム２３の平坦部２３ｂに載置されている。断熱材３３は、水熱交換器３を底フレーム２３から離隔した位置に保持している。水熱交換器３は、底フレーム２３の立ち上がり部２３ａよりも上側に位置している。
【００４６】
底フレーム２３の平坦部２３ｂは、貯湯ユニットの外側から侵入する雨水や缶体４の水漏れにより滴下する温水などを受けるようになっている。平坦部２３ｂで受けられた水は、平坦部２３ｂおよび立ち上がり部２３ａによって、底フレーム２３に貯まるようになっている。平坦部２３ｂは、ドレン孔２３ｃに向かって僅かに下降して傾斜するように設けられている。このため、平坦部２３ｂに貯まった水は、ドレン孔２３ｃに向かって流れ落ちて、ドレン孔２３ｃを通じて排出される。また、ドレン孔２３ｃの近傍には、漏水センサ（図示せず）が設けられている場合もあり、平坦部２３ｂに水が貯まっているか否かを検出できるようになっている。
【００４７】
上記構成の貯湯ユニットによれば、底フレーム２３は、缶体４の下側に位置し、水熱交換器３は、底フレーム２３の平坦部２３ｂに載置された断熱材３３によって覆われている。断熱材３３の一部は、水熱交換器３を支持する支持部を構成している。断熱材３３によって、水熱交換器３は、底フレーム２３から離隔して保持されて、底フレーム２３の立ち上がり部２３ａよりも上側に位置している。このため、貯湯ユニットの外側から侵入する雨水や缶体４の水漏れにより滴下する温水などによって底フレーム２３の平坦部２３ｂに水が貯まり、この貯まった水が、断熱材３３の穴を介して断熱材３３の内側に水が侵入してきたとしても、水熱交換器３は、水面よりも上に位置するので水に浸からない。したがって、水熱交換器３が腐食するのを防止できる。
【００４８】
また、断熱材３３によって、水熱交換器３は、底フレーム２３から離隔して保持されているから、水熱交換器３が底フレーム２３上の水と接触するのをより確実に防止できる。
【００４９】
（第３の実施形態）
図５は、本発明の貯湯ユニットの第３の実施形態を示している。具体的には、図５は、この貯湯ユニットの下部の要部断面図を示している。上記第２の実施形態と相違する点を説明すると、この第３の実施形態では、断熱材の形状が相違する。なお、この第３の実施形態において、上記第２の実施形態と同一の符号は、上記第２の実施形態と同じ構成であるため、その説明を省略する。
【００５０】
図５に示すように、貯湯ユニットの断熱材３４は、本体部３４ａと、この本体部３４ａから下方に突出する４つの脚部３４ｂとを有している。本体部３４ａは、略直方体形状に形成されている。脚部３４ｂは、本体部３４ａの下面の４つの角部にそれぞれ設けられており、本体部３４ａを支持している。脚部３４ｂは、外径が下方に向かって徐々に縮径する略円錐台形状に形成され、脚部３４ｂの下端面が底フレーム２３の平坦部２３ｂに接触している。このため、脚部３４ｂは、本体部３４ａを平坦部２３ｂから離隔して、本体部３４ａと平坦部２３ｂとの間に空間を設けている。
【００５１】
したがって、平坦部２３ｂに貯まった水は、ドレン孔２３ｃに向かって流れるとき、水が上記空間を通ることができるから、水の流れが断熱材３４によって阻害されにくくすることができる。
【００５２】
また、上記空間によって、水熱交換器３から底フレーム２３への放熱をより抑制できるので、断熱材３４による水熱交換器３の保温効果をより大きくできる。
【００５３】
（第４の実施形態）
図６および図７は、本発明の貯湯ユニットの第４の実施形態を示している。具体的には、図６は、貯湯ユニットの底フレーム２３Ａの概略平面図を示している。図７は、図６のＡ−Ａ線から見た底フレーム２３Ａの概略平面図を示している。上記第３の実施形態と相違する点を説明すると、この第４の実施形態では、底フレームの形状が相違する。なお、この第４の実施形態において、上記第３の実施形態と同一の符号は、上記第３の実施形態と同じ構成であるため、その説明を省略する。
【００５４】
図６に示すように、貯湯ユニットの底フレーム２３Ａは、平面視略長方形状に形成され、底フレーム２３Ａは、水を導くための複数の導水溝部２３ｄを有している。これらの導水溝部２３ｄは、底フレーム２３Ａの隣り合う２つの辺や、底フレーム２３Ａの対角線に沿って延在している。これらの導水溝部２３ｄが合流する位置には、ドレン孔２３ｃが設けられている。導水溝部２３ｄの間の平坦部２３ｂには、断熱材３４の４つの脚部３４ｂが、それぞれ接触している。図７に示すように、導水溝部２３ｄは、平坦部２３ｂより下方に位置すると共に、平坦部２３ｂと平行に延在して、平坦部２３ｂで受けられた水をドレン孔２３ｃに導くようになっている。
【００５５】
したがって、平坦部２３ｂ上の水が導水溝部２３ｄに導かれ、ドレン孔２３ｃに向かって断熱材に邪魔されることなくスムーズに流れることができる。
【００５６】
なお、本発明は上記第１〜第４の実施形態に限定されず、上記第１〜第４の実施形態で記載した内容を適宜組み合わせたものであってもよい。例えば、第４の実施形態において、第２の実施形態の断熱材３３を用いて、底フレームの導水溝部の一部を覆うように断熱材を底フレームに載置してもよい。
【００５７】
また、上記第１の実施形態では、断熱材３２を支持部３１の上側に取り付けて、水熱交換器３および断熱材３２は、支持部３１および立ち上がり部２３ａの上側に位置していたが、断熱材を支持部の下側に取り付けて、水熱交換器および断熱材が支持部の下側であって、かつ、立ち上がり部よりも上側に位置していてもよい。
【００５８】
また、上記第１の実施形態では、断熱材３２が立ち上がり部２３ａよりも上側に位置していたが、断熱材の一部が立ち上がり部の上端よりも下側に位置していてもよい。
【００５９】
また、上記第１の実施形態では、支持部３１が水熱交換器３および断熱材３２を支持していたが、水熱交換器だけを支持してもよい。
【００６０】
また、上記第１の実施形態では、支持部３１が缶体支持脚４１，４１に取り付けられていたが、ケーシングの側面パネルや缶体など他の箇所に取り付けられていてもよい。
【００６１】
また、上記第１〜第４の実施形態では、水熱交換器３が缶体４の軸方向からみた平面視、缶体４と重なって位置していたが、缶体と重なって位置していなくてもよい。
【００６２】
また、上記第１〜第４の実施形態では、ドレン孔２３ｃを底フレーム２３の平坦部２３ｂに設けていたが、底フレームの立ち上がり部に設けてもよいし、ドレン孔を設けなくてもよい。
【００６３】
また、上記第３，第４の実施形態では、断熱材３４が４つの脚部３４ｂを有していたが、断熱材が３つ以下、または５つ以上の脚部を有していてもよい。
【００６４】
また、上記第３，第４の実施形態では、断熱材３４の脚部３４ｂは、略円錐台状に形成されていたが、円柱状や、直方体状など他の形状に形成されていてもよい。
【００６５】
また、上記第４の実施形態では、底フレーム２３Ａに３つの導水溝部２３ｄが設けられていたが、例えばＴ字状の２つの導水溝部や、ロ字状や田字状など４つ以上の導水溝部が設けられていてもよい。
【００６６】
また、上記第４の実施形態では、底フレーム２３Ａに複数の導水溝部２３ｄが設けられていたが、例えばドーナツ状や一文字状など１つの導水溝部が設けられていてもよい。
【００６７】
また、上記第４の実施形態では、底フレーム２３Ａに導水溝部２３ｄが設けられ、断熱材３４の脚部３４ｂが平坦部２３ｂに接触していたが、底フレームに平坦部より上方に位置する凸部を設けて、この凸部に断熱材の脚部が接触するようにしてもよい。
【００６８】
また、上記第４の実施形態では、平坦部２３ｂは、ドレン孔２３ｃに向かって僅かに下降して傾斜するように設けられ、導水溝部２３ｄは、平坦部２３ｂと平行に延在していたが、平坦部を水平に設ける一方、導水溝部をドレン孔に向かって僅かに下降して傾斜するように設けてもよい。
【符号の説明】
【００６９】
１  ヒートポンプユニット
２  貯湯ユニット
３  水熱交換器
４  缶体
１１  圧縮機
１４  膨張弁
１５  空気熱交換器
２３，２３Ａ  底フレーム
２３ａ  立ち上がり部
２３ｂ  平坦部
２３ｄ  導水溝部
３１  支持部
３２，３３，３４  断熱材
３４ａ  本体部
３４ｂ  脚部
４１  缶体支持脚
【要約】
【課題】底フレームに水が貯まっても、水熱交換器が腐食するのを防止できる貯湯ユニットおよび給湯装置を提供すること。
【解決手段】貯湯ユニットは、水熱交換器（３）と、缶体（４）と、水貯め可能な立ち上がり部（２３ａ）を有する底フレーム（２３）と、支持部（３１）とを備えている。支持部（３１）は、水熱交換器（３）が底フレーム（２３）の立ち上がり部（２３ａ）よりも上側に位置するように水熱交換器（３）を支持している。
【選択図】図３【図１】
0005574069.tif 000002
【図２】
0005574069.tif 000003
【図３】
0005574069.tif 000004
【図４】
0005574069.tif 000005
【図５】
0005574069.tif 000006
【図６】
0005574069.tif 000007
【図７】
0005574069.tif 000008